(57)【要約】【課題】録画予約の設定を行うのが難しい、放送に特別番組等が入り予約した番組の時間が変更になった場合にはあらかじめ設定しておいた録画時間の変更我出来ない、職場など離れた場所からの録画予約が出来ない、といった問題点があった。【解決手段】本発明は現在その普及が急速に進んでいるインターネット等の汎用のネットワークに放送番組関連情報の提供などのサービスを行うためのサーバーを接続し、このサーバーとネットワークの通信端末を接続することにより、サーバーから通信端末への放送番組関連情報の提供やビデオの番組録画予約などのサービスを提供が出来るようにして上記の問題点の解決を図ったものである。【選択図】図１
2006340384.tif 000002
【特許請求の範囲】
【請求項１】
通信ネットワークに接続され、放送番組に関連した情報である放送番組関連情報のデータを保有し、前記放送番組関連情報を提供するサービスを行うサーバと、
前記通信ネットワークに接続され、前記放送番組の録画を行う録画装置と接続されている第１の通信端末と、
前記通信ネットワークに接続される、前記第１の通信端末と異なる第２の通信端末と
を備え、
前記第２の通信端末は、前記サーバから前記放送番組関連情報のデータを受信し、また、前記サーバに前記放送番組の録画予約の依頼を行うための情報である録画予約情報を送信し、
前記サーバは、前記録画予約情報に基づいて、前記第１の通信端末に録画予約コマンドを送信する
ネットワークサービスシステム。
【請求項２】
前記録画装置は、前記録画予約コマンドに基づいて、前記放送番組の録画を行う
請求項１に記載のネットワークサービスシステム。
【請求項３】
前記サーバはまた、前記録画予約情報に基づいて、前記放送番組の評価を表す評価情報を生成する
請求項１に記載のネットワークサービスシステム。
【請求項４】
前記サーバはまた、前記録画予約の対象となる放送番組の時間が変更になった場合に、録画時間の変更を行うための情報である変更情報を前記第１の通信端末に送信する
請求項１に記載のネットワークサービスシステム。
【請求項５】
前記第１の通信端末は、録画時間の変更を行うための情報である変更情報を受信し、その変更情報に基づいて前記録画時間を変更する
請求項１に記載のネットワークサービスシステム。
【請求項６】
前記第１の通信端末と前記サーバ間の通信は、電子メールフォーマットを使用する
請求項１に記載のネットワークサービスシステム。
【請求項７】
前記通信ネットワークには、複数の前記第１または第２の通信端末が接続されている
請求項１に記載のネットワークサービスシステム。
【発明の詳細な説明】
【技術分野】
【０００１】
本発明はインターネット等の複数の通信端末を接続して構成された汎用のネットワークを使用して、放送番組関連情報の提供などのサービスの提供を行うためのネットワークサービスシステムに関する。
【０００２】
本発明のネットワークサービスシステムは放送番組関連情報の提供などのサービスを行うサーバーと通信端末間においてサーバーから通信端末への接続処理を行うことによりビデオの番組録画予約などのサービスを提供するものである。
【背景技術】
【０００３】
従来このような問題を解決する目的の各種の提案がなされている。例えば、特開昭６２−１７２８９１号公報には、ＣＡＴＶ等の同軸ケーブルを使用した有線放送システムに於いて、同軸ケーブルの広帯域伝送特性を利用してテレビ放送番組の提供だけでなく受信機と放送装置との間に双方向の機能を持たせ番組のリクエスト等のサービスの行えるシステムが提案されている。
【０００４】
しかしながらこのようなシステムではこれを利用出来るのはＣＡＴＶの等加入者に限られ、又これに使用される受信装置も双方向の通信機能を持った特殊なものが必要であるため汎用性に乏しかった。
又、特開平６−６２３５７号公報には、文字放送を利用してテレビの放送に関する各種の情報の提供や、ビデオ録画予約サービスを行うようにした技術が開示されている。
【０００５】
しかしながらこの方式では文字放送受信機能を持った受信機が必要であり、特にビデオ録画予約を行うためには文字放送の情報に基づいて予約手続きを行うデータ処理機能を持った受信機が必要であり、かつこの方式では情報は放送局から受信者への一方方向の流れだけであり実用的ではなかった。
【発明の開示】
【発明が解決しようとする課題】
【０００６】
従来、テレビの放送番組をビデオテープに予約録画しようとする場合には、通常は放送番組の記載された雑誌や新聞を賄入して、これを基に録画したい番組のチャンネル番号、放送開始時間、放送終了時間又は録画終了時間や録画時間等の番組予約に必要な事項をそれぞれ設定することが必要である。
【０００７】
このため、テレビの放送番組をビデオテープに予約録画は
１．ビデオ録画予約のために雑誌や新聞を購入しなければならない。
２．ビデオテープレコーダの録画予約の設定を行うのが難しい。特に高齢者や機械の扱いが不得意な人には困難な作業である。
３．放送に特別番組等が入り予約した番組の時間が変更になった場合にはあらかじめ設定しておいた録画時間の変更が出来ない。
４．職場など離れた場所からの録画予約が出来ないといった問題点があった。
【課題を解決するための手段】
【０００８】
本発明は現在その普及が急速に進んでいるインターネット等の汎用のネットワークに放送番組関連情報の提供などのサービスを行うためのサーバーを接続し、このサーバーとネットワークの通信端末を接続することにより、サーバーから通信端末への放送番組関連情報の提供やビデオの番組録画予約などのサービスを提供が出来るようにして上記の問題点の解決を図ったものである。
【発明の効果】
【０００９】
本発明のネットワークサービスシステムは放送に関する各種のサービスの提供を行うサーバーをインターネット等の汎用のネットワークに接続し、ネットワークに接続された各種の端末との情報の越え間が出来るようにしたために従来には行われていなかった下記のような各種の放送に関するサービスを実現することが可能になった。
【００１０】
１．放送番組の情報はサーバーから得られる。
２．ユーザーは直接ビデオテープレコーダに録画の設定を行う必要が無い。
３．予約していた放送番組が変更になった場合にはサーバーにより時間シフトの対応が行われる。
【００１１】
４．ネットワークの通信フォーマットを電子メールフォーマットとすることによって、録画予約はサーバーに電子メールを送ることで他の端末からも予約を行うことが用意になる。
５．サーバー側は端末との情報交換のデータを分析して視聴率情報、アンケート情報等の放送に対する評価データが得られる。という従来に無いすぐれた効果を実現出来る。
【発明を実施するための最良の形態】
【００１２】
図１は本発明のネットワークサービスシステムの一実施例の構成を示す説明図である。図１において、ＩＮＴはインターネット等の汎用の通信ネットワークである。ＢＳＶは放送番組関連情報の提供などのサービスを行うサーバーで、ネットワークＩＮＴに接続されている。ＩＮＦはサーバーＢＳＶが保持している放送番組の案内や放送番組に関連した情報である。
【００１３】
ＴＡ１はネットワークＩＮＴに接続された第一の通信端末である。第一の通信端末ＴＡ１は一般の通信端末でネットワークＩＮＴに接続されたサーバーや他の通信端末との間で情報のやり取りが行えるものである。ＴＡ２はネットワークＩＮＴに接続された第二の通信端末である。第二の通信端末ＴＡ２はビデオ装置の接続機能をもっており、一般の通信端末と同様にネットワークＩＮＴに接続されたサーバーや他の通信端末との間で情報のやり取りが行えるだけでなく、ネットワークＩＮＴ を介して送られてくるビデオ信号を受信しこれをビデオテープレコーダに供給する機能をもっている。
【００１４】
ＶＴＲは第二の通信端末ＴＡ２に接続されたビデオテープレコーダである。ネットワークＩＮＴには第一の通信端末ＴＡ１と同様の一般の通信端末やビデオ装置の接続機能をもった第二の通信端末ＴＡ２のような通信端末が多数接続されネットワークを構成しているが、本実施例においては二つの通信端末だけを示してある。
【００１５】
このように構成された本発明のネットワークサービスシステムの動作を説明すると次の通りである。例えばビデオの録画予約を行う場合には、ユーザーはまず通信端末ＴＡ１か通信端末ＴＡ２を使用してネットワークＩＮＴを介してサーバーＢＳＶにアクセスしこれよりサーバーＢＳＶ保持している放送番組の案内や放送番組に関連した情報ＩＮＦを取得し、この情報の中から録画したい番組を選定する。番組の選定が終わるとユーザーは通信端末ＴＡ１か通信端末ＴＡ２よりサーバーＢＳＶにアクセスし番組録画予約の依頼を行う。
【００１６】
この場合、通信端末がビデオ装置の接続機能を持った端末ＴＡ２の場合にはこの端末に接続されているビデオテープレコーダＶＴＲに対して録画を行うように依頼を行うが、通信端末がビデオ装置の接続機能を持たない端末ＴＡ１の場合には他のビデオ装置の接続機能を持った端末ＴＡ２に接続されているビデオテープレコーダＶＴＲに対して録画を行うように依頼を行うことが出来る。
【００１７】
サーバーＢＳＶは番組録画予約の依頼があると依頼された接続機能を持った端末ＴＡ２に対して録画予約コマンドを送り依頼された番組が録画出来るような設定を行う。これにより端末ＴＡ２に接続されているビデオテープレコーダＶＴＲは予約番組の録画を自動的に行う。
【００１８】
サーバーＢＳＶは放送に特別番組等が入り予約番組の時間が変更になった場合にはあらかじめ設定しておいた録画時間の変更を行うための設定を行うように構成されているので依頼した番組の放送時間が変更された場合にも間違いなく目的の放送の録画を行うことが出来る。又、番組録画予約の依頼はビデオ装置の接続されていない通信端末からも行うことが出来るので、自宅にビデオ装置の接続されている通信端末を持っている人は自宅以外の場所の任意の通信端末から番組録画予約の依頼を行うことも出来るので非常に便利である。
【００１９】
尚、サーバーＢＳＶが保持している放送番組の案内や放送番組に関連した情報サービスの具体的なものは次のようなものがある。
放送番組の情報としては、ＷＷＷなどで行っている番組紹介、アンケート／結果などの情報の提供を行うこと。
放送番組関連紹介としては特定の番組で使われたグッズなどの情報紹介や購入仲介を行うこと。
そのほかに、チャンネル時間購入サービスとして見落とした番組に対して有料で再送依頼をうけることも出来る。この場合その価格は希望者数で割るなどとする。
【００２０】
又、サーバー側ではネットワークＩＮＴを介してサーバーＢＳＶにアクセスされる放送番組の案内や放送番組に関連した情報と番組録画予約依頼のデータを集計することにより視聴率情報、アンケー情報などが得られるので放送番組の評価情報として使用することが出来る。
【００２１】
図２は本発明のネットワークサービスシステムの他の実施例の構成を示す説明図である。図２において、ＩＮＴはインターネット等の汎用の通信ネットワークである。ＢＳＶは放送局に置かれたサーバーで、ネットワークＩＮＴに接続されており、放送番組関連情報の提供などのサービスを行う。ＩＮＦはサーバーＢＳＶが保持している放送番組の案内や放送番組に関連した情報である。ＴＡ１はネットワークＩＮＴに接続された通信端末である。
【００２２】
通信端末ＴＡ１は一般の通信端末でネットワークＩＮＴに接続されたサーバーや他の通信端末との間で情報のやり取りが行えるものである。  ＴＡＢはテレビ放送と文字放送の番組受信機能を持った受信端末である。受信信端末ＴＡＢはビデオ装置の接続機能をもっており、通常の放送チャンネルで送られているビデオ信号を受信しこれをビデオテープレコーダに供給する機能をもっている。ＶＴＲは受信端末ＴＡＢに接続されたビデオテープレコーダである。
【００２３】
ネットワークＩＮＴには通信端末ＴＡ１と同様の一般の通信端末が多数接続されネットワークを構成しているが、本実施例においては一つの通信端末だけを示してある。    このように構成された本発明のネットワークサービスシステムの動作を説明すると次の通りである。放送局ではテレビ放送の文字放送チャンネルにサーバーＢＳＶ保持している放送番組の案内や放送番組に関連した情報を流している。
【００２４】
例えばビデオの録画予約を行う場合には、ユーザーはまず受信端末ＴＡＢを使用して文字放送のチャンネルからサーバーＢＳＶ保持している放送番組の案内や放送番組に関連した情報ＩＮＦを取得し、この情報の中から録画したい番組を選定する。番組の選定が終わるとユーザーは通信端末ＴＡ１よりサーバーＢＳＶにアクセスし番組録画予約の依頼を行う。この場合、通信端末がビデオ装置の接続機能を持たないので文字放送によりビデオ装置の接続機能を持った受信端末ＴＡＢに接続されているビデオテープレコーダＶＴＲに対して録画を行うように設定を行うことを依頼する。
【００２５】
サーバーＢＳＶはこのような番組録画予約の依頼があると依頼された文字放送の受信機能を持った受信端末ＴＡＢに対して個人録画予約情報を送り依頼された番組が録画出来るような設定を行う。これにより端末ＴＡＢに接続されているビデオテープレコーダＶＴＲは予約番組の録画を自動的に行う。サーバーＢＳＶは放送に特別番組等が入り予約番組の時間が変更になった場合にはあらかじめ設定しておいた録画時間の変更を行うための時間シフト情報を文字放送により受信端末ＴＡＢに送る。
【００２６】
受信端末ＴＡＢは文字放送により時間シフト情報が送られてくるとこれに対応した録画時間の変更を行うように構成されているので依頼した番組の放送時間が変更された場合にも間違いなく目的の放送の録画を行うことが出来る。このように番組録画予約の依頼はビデオ装置の接続されていない一般の通信端末から行うことが出来るので、自宅に文字放送の受信機能を持った受信端末を置きこれにビデオ装置を接続して置くことにより、自宅以外の場所の任意の通信端末からも番組録画予約の依頼を行うことも出来るので非常に便利である。
【００２７】
上記の画実施例においてはテレビ放送の録画を行うビデオ予約サービスの事例について説明したが本発明はテレビ放送に関するサービスに限定されるものではなく、ビデオテープレコーダのかわりにラジカセ等のラジオ放送受信装置を制御するようにすることによりラジオ放送の予約サービス等を行うことが出来る。
【図面の簡単な説明】
【００２８】
【図１】図１は本発明のネットワークサービスシステムの一実施例の構成を示す説明図である。
【図２】図２は本発明のネットワークサービスシステムの他の実施例の構成を示す説明図である。
【符号の説明】
【００２９】
ＩＮＴ・・・汎用の通信ネットワーク，      ＢＳＶ・・・放送番組関連情報の提供などのサービスを行うサーバー，      ＩＮＦ・・・放送番組の案内や放送番組に関連した情報，      ＴＭ１・・・一般の通信端末，ＴＭ２・・・ビデオ装置の接続機能をもった通信端末，      ＶＴＲ・・・ビデオテープレコーダ，      ＴＭＢ・・・テレビ放送と文字放送の番組受信機能を持った受信端末
【図１】
2006340384.tif 000003
【図２】
2006340384.tif 000004